(57)【要約】【課題】固定部材と回転部材との間で、無理なく配線を接続でき、かつ、その配線の絶縁を簡単かつ確実に確保できるようにした、回転対応型のコネクタ装置を提供する。  【解決手段】コネクタ装置１は、ボディ３に対してロータ５をトップケース６で回転可能に保持するとともに、そのロータ５とボディ３の双方にコネクタハウジング８、１０が設けられ、更に、これらのコネクタハウジング８、１０にコネクタ差込み孔８Ａ、１０Ａが設けられる。各コネクタ差込み孔８Ａ、１０Ａに、固定部材側の配線のコネクタや回転部材側の配線のコネクタを差し込むだけの簡単な作業で、回転部材側の配線と固定部材側の配線は電気的に接続される。【選択図】図１
2014116122.tif 000002
【特許請求の範囲】
【請求項１】
凹部を有するボディと、
前記凹部に固定したベースと、
前記ベースの中心を回転中心として回転可能に配置されたロータと、
前記ボディに対して前記ロータを回転可能に保持するトップケースと、
前記ベースに設けた複数の金属リングと、
前記ロータに設けたロータ側コネクタハウジングおよび細長の可動接触部品と、
前記ボディに設けたボディ側コネクタハウジングおよび細長の固定接触部品と、を具備し、
前記複数の金属リングは、前記ベースの中心を共有する同心円状に配置され、その表裏面が前記ベースの表裏面から露出するように設けられており、
前記ロータ側コネクタハウジング及びボディ側コネクタハウジングは、いずれも、コネクタが差し込まれるコネクタ差込み孔を有し、
前記可動接触部品は、前記金属リングの数に対応して複数設けられるとともに、その一端側がコネクタ端子部として前記ロータ側コネクタハウジングのコネクタ差込み部内に突出する一方、その他端側がブラシ部として前記ベースの表面側から前記金属リングの表面に接触し、この状態で前記ロータの回転により前記金属リングに沿って回転移動可能に設けられ、
前記固定接触部品は、前記金属リングの数に対応して複数設けられるとともに、その一端側がコネクタ端子部として前記ボディ側コネクタハウジングのコネクタ差込み部内に突出する一方、その他端側がブラシ部として前記ベースの裏面側から前記金属リングの裏面に接触するように設けられていること
を特徴とするコネクタ装置。
【請求項２】
前記可動接触部品又は前記固定接触部品は、一枚の細長金属板からなり、
その可動接触部品又は固定接触部品の前記コネクタ端子部は、前記一枚の細長金属板を折り重ねた多重構造とすることにより、雌型コネクタと結合する雄型コネクタ端子として必要な既定の強度を備えていること
を特徴とする請求項１に記載のコネクタ装置。
【請求項３】
前記可動接触部品又は前記固定接触部品は、一枚の細長金属板からなり、
その可動接触部品又は固定接触部品の前記ブラシ部は、前記一枚の細長金属板を折り重ね、これにより接近した前記細長金属板の両端部をそれぞれ前記金属リングの表面に接触する接点部として形成することにより、多重接点構造になっていること
を特徴とする請求項１に記載のコネクタ装置。
【請求項４】
前記可動接触部品又は前記固定接触部品の前記コネクタ端子部は、前記細長金属板の折り重ね部分に該金属板の更なる折り曲げによる凸部を設けることで、雌型コネクタの内径に合致する厚さを有すること
を特徴とする請求項２に記載のコネクタ装置。
【請求項５】
前記可動接触部品又は前記固定接触部品は、二枚の細長金属板からなり、
その可動接触部品又は固定接触部品の前記コネクタ端子部は、前記二枚の細長金属板の端部をそれぞれ折り重ねて２重構造とし、この２重構造の部分を上下に重ねて４重構造とすることにより、雌型コネクタと結合する雄型コネクタ端子として必要な既定の強度を備えていること
を特徴とする請求項１に記載のコネクタ装置。
【請求項６】
前記可動接触部品又は前記固定接触部品は、二枚の細長金属板からなり、
その可動接触部品又は固定接触部品の前記ブラシ部は、前記二枚の細長金属板を重ね合わせ、それぞれの細長金属板の端部を金属リングの表面に接触する接点部として形成することにより、多重接点構造になっていること
を特徴とする請求項１に記載のコネクタ装置。
【請求項７】
前記複数の金属リングの全周に、前記ベースの表面から立ち上がった切れ目の無い全周リブが設けられていること
を特徴とする請求項１に記載のコネクタ装置。
【発明の詳細な説明】
【技術分野】
【０００１】
本発明は、例えば、回転式タッチスクリーン画面を搭載したノート型パソコンなどのように、固定部材としてのパソコン本体と、回転部材としてのタッチスクリーン画面との間で、配線を接続するコネクタ装置に関する。
【背景技術】
【０００２】
固定部材と回転部材との間で無理なくそれぞれの配線を電気的に接続するには、その間に回転対応型のコネクタ装置を介在させ、かかるコネクタ装置で固定部材と回転部材それぞれの配線を接続する必要がある。
【０００３】
この種の回転対応型のコネクタ装置としては、例えば、特許文献１に開示のコネクタ装置が知られている。このコネクタ装置（１）は、ケース（４、５）内に、２つのモジュラーソケット（２、２´）と、両モジュラーソケット（２、２´）を連結する連結体（３）とを備え、かつ、一方のモジュラーソケット（２）が、連結体（３）及び他方のモジュラーソケット（２´）に対して回転自在となるように構成してある（特許文献１の段落００２４、００２５の記載を参照）。
【０００４】
また、それぞれのモジュラーソケット（２、２´）の端部には、モジュラーコネクタを接続するためのコネクタ結合用凹部（１４、１４´）が形成されており、これらのコネクタ結合用凹部（１４、１４´）に接続されたモジュラーコネクタは、各モジュラーソケット（２、２´）に設けたモジュラー端子（２１、２２、２３、２４）と、連結体（３）に同心円状に配置された端子板（１１４−１１７）とを介して、電気的に接続される構成になっている。
【０００５】
ところで、回転式タッチスクリーン画面を搭載したノート型パソコンなどのように、固定部材としてのパソコン本体と、回転部材としてのタッチスクリーン画面との間で、配線を接続する手段として、特許文献１に開示のコネクタ装置（１）を使用することも考えられる。
【０００６】
しかしながら、前記のようなコネクタ装置（１）の使用例では、前記モジュラー端子（２１、２２、２３、２４）の一端（２１ｂ、２２ｂ、２３ｂ、２４ｂ）に、パソコン本体側の配線を半田付けで接続しなければならず、その際に、モジュラー端子（２１、２２、２３、２４）のピッチ間隔が狭いため、半田によって配線が短絡する等、配線の絶縁を確保することが難しいという問題点がある。
【先行技術文献】
【特許文献】
【０００７】
【特許文献１】特許第３９４６８７０号公報
【発明の概要】
【発明が解決しようとする課題】
【０００８】
本発明は上記問題点を解決するためになされたもので、その目的は、固定部材と回転部材との間で、無理なく配線を接続でき、かつ、その配線の絶縁を簡単かつ確実に確保できるようにした、回転対応型のコネクタ装置を提供することにある。
【課題を解決するための手段】
【０００９】
前記目的を達成するために、本発明は、凹部を有するボディと、前記凹部に固定したベースと、前記ベースの中心を回転中心として回転可能に配置されたロータと、前記ボディに対して前記ロータを回転可能に保持するトップケースと、前記ベースに設けた複数の金属リングと、前記ロータに設けたロータ側コネクタハウジングおよび細長の可動接触部品と、前記ボディに設けたボディ側コネクタハウジングおよび細長の固定接触部品と、を具備し、前記複数の金属リングは、前記ベースの中心を共有する同心円状に配置され、その表裏面が前記ベースの表裏面から露出するように設けられており、前記ロータ側コネクタハウジング及びボディ側コネクタハウジングは、いずれも、コネクタが差し込まれるコネクタ差込み孔を有し、前記可動接触部品は、前記金属リングの数に対応して複数設けられるとともに、その一端側がコネクタ端子部として前記ロータ側コネクタハウジングのコネクタ差込み部内に突出する一方、その他端側がブラシ部として前記ベースの表面側から前記金属リングの表面に接触し、この状態で前記ロータの回転により前記金属リングに沿って回転移動可能に設けられ、前記固定接触部品は、前記金属リングの数に対応して複数設けられるとともに、その一端側がコネクタ端子部として前記ボディ側コネクタハウジングのコネクタ差込み部内に突出する一方、その他端側がブラシ部として前記ベースの裏面側から前記金属リングの裏面に接触するように設けられていることを特徴とする。
【００１０】
前記可動接触部品又は前記固定接触部品は、一枚の細長金属板からなり、その可動接触部品又は固定接触部品の前記コネクタ端子部は、前記一枚の細長金属板を折り重ねた多重構造とすることにより、雌型コネクタと結合する雄型コネクタ端子として必要な既定の強度を備えてもよい。
【００１１】
前記可動接触部品又は前記固定接触部品は、一枚の細長金属板からなり、その可動接触部品又は固定接触部品の前記ブラシ部は、前記一枚の細長金属板を折り重ね、これにより接近した前記細長金属板の両端部をそれぞれ前記金属リングの表面に接触する接点部として形成することにより、多重接点構造になってもよい。
【００１２】
前記可動接触部品又は前記固定接触部品の前記コネクタ端子部は、前記細長金属板の折り重ね部分に該金属板の更なる折り曲げによる凸部を設けることで、雌型コネクタの内径に合致する厚さを有してもよい。
【００１３】
前記可動接触部品又は前記固定接触部品は、二枚の細長金属板からなり、その可動接触部品又は固定接触部品の前記コネクタ端子部は、前記二枚の細長金属板の端部をそれぞれ折り重ねて２重構造とし、この２重構造の部分を上下に重ねて４重構造とすることにより、雌型コネクタと結合する雄型コネクタ端子として必要な既定の強度を備えてもよい。
【００１４】
前記可動接触部品又は前記固定接触部品は、二枚の細長金属板からなり、その可動接触部品又は固定接触部品の前記ブラシ部は、前記二枚の細長金属板を重ね合わせ、それぞれの細長金属板の端部を金属リングの表面に接触する接点部として形成することにより、多重接点構造になってもよい。
【００１５】
前記複数の金属リングの全周に、前記ベースの表面から立ち上がった切れ目の無い全周リブが設けられるように構成してもよい。
【発明の効果】
【００１６】
本発明にあっては、コネクタ装置の具体的な構成として、ボディに対してロータをトップケースで回転可能に保持するとともに、そのロータとボディの双方にコネクタハウジングを設け、これらのコネクタハウジングにコネクタ差込み孔が設けられる構成を採用した。このため、例えば、前記ボディを固定部材に取り付け、かつ、前記ロータを回転部材に取付けたとき、固定部材から見て前記ボディ側コネクタハウジングは静止しており、また、回転部材から見て前記ロータ側コネクタハウジングは相対的に静止しているから、固定部材に対して回転部材が回転した場合でも、それぞれのコネクタハウジングのコネクタ差込み孔に差し込まれている配線のコネクタが捩れることはなく、固定部材と回転部材との間で配線を無理なく接続することができる。
【００１７】
また、本発明によると、前記ボディと前記ロータそれぞれのコネクタハウジングに設けたコネクタ差込み孔に、固定部材側の配線のコネクタや、回転部材側の配線のコネクタを差し込むだけの簡単な作業で、回転部材側の配線と固定部材側の配線を電気的に接続することができ、その接続はコネクタによるもので、半田付けは不要であるから、かかる配線の絶縁を簡単かつ確実に確保することもできる。
【図面の簡単な説明】
【００１８】
【図１】図１（ａ）は本発明の一実施形態であるコネクタ装置の断面図、同図（ｂ）は同コネクタ装置における可動接触部品と金属プレートとの接触状態をコネクタ装置の上面側から見たときの説明図、同図（ｃ）はコネクタ装置のトップケース、ロータ、ベースを外した状態を同コネクタ装置の上面から見たときの説明図。
【図２】図２（ａ）は図１のコネクタ装置を構成するボディの上面図、同図（ｂ）はボディの下面図、同図（ｃ）はボディの側面図、同図（ｄ）はＡ矢視ボディ断面図、同図（ｅ）はＢ矢視ボディ断面図、同図（ｆ）はＤ矢視ボディ断面図。
【図３】図３（ａ）は図１のコネクタ装置を構成するベースの上面図、同図（ｂ）はベースの側面図、同図（ｃ）はベースの下面図、同図（ｄ）はＢ矢視ベース断面図、同図（ｅ）はＡ矢視ベース断面図。
【図４】図４は図１のコネクタ装置を構成する複数の金属リング（ベースにインサートする前の状態）の平面図。
【図５】図５（ａ）は図１のコネクタ装置を構成する固定接触部品、可動接触部品の下面図、同図（ｂ）はその側面図、同図（ｃ）はその上面図、同図（ｄ）はそのＢ矢視断面図、（ｅ）は固定接触部品、可動接触部品の拡大図。
【図６】図６（ａ）は図１のコネクタ装置を構成するロータの正面図、同図（ｂ）はロータの上面図、同図（ｃ）はロータの側面図、同図（ｄ）はロータの下面図、同図（ｅ）はＡ矢視ロータ断面図、同図（ｆ）はＢ矢視ロータ断面図、同図（ｇ）はＣ矢視ロータ断面図。
【図７】図７（ａ）は図１のコネクタ装置を構成するトップケースの上面図、同図（ｂ）はＡ矢視トップケース断面図、同図（ｃ）はトップケースの下面図、同図（ｄ）はトップケースの側面図。
【図８】可動接触部品、固定接触部品の他の実施形態の説明図。
【図９】可動接触部品、固定接触部品の他の実施形態の説明図。
【図１０】ボディの他の実施形態の説明図。
【図１１】ボディの他の実施形態の説明図。
【発明を実施するための最良の形態】
【００１９】
以下、本発明を実施するための最良の形態について、添付した図面を参照しながら詳細に説明する。
【００２０】
図１（ａ）は本発明の一実施形態であるコネクタ装置の断面図、図中（ｂ）はコネクタ装置における可動接触部品と金属プレートとの接触状態を同コネクタ装置の上面側から見たときの説明図、（ｃ）はコネクタ装置のトップケース、ロータ、ベースを外した状態を同コネクタ装置の上面から見たときの説明図である。
【００２１】
図１（ａ）のコネクタ装置１は、凹部２を有するボディ３（図２参照）と、凹部２に固定したベース４（図３参照）と、ベース４の中心を回転中心として回転可能に配置されたロータ５（図６参照）と、ボディ３に対してロータ５を回転可能に保持するトップケース６（図７参照）と、ベース４に設けた複数の金属リング７（図３、図４参照）と、ロータ５に設けたロータ側コネクタハウジング８（図６参照）および細長の可動接触部品９（図５参照）と、ボディ３に設けたボディ側コネクタハウジング１０（図２参照）および細長の固定接触部品１１（図５参照）と、を具備している。
【００２２】
図２（ａ）は図１のコネクタ装置を構成するボディの上面図、同図（ｂ）はボディの下面図、同図（ｃ）はボディの側面図、同図（ｄ）はＡ矢視ボディ断面図、同図（ｅ）はＢ矢視ボディ断面図、同図（ｆ）はＤ矢視ボディ断面図である。
【００２３】
図２において、ボディ３及びこれに設けたボディ側コネクタハウジング１０は、樹脂で一体成形されている。ボディ３の凹部２は、ボディ３の内面側に設けられるとともに、図２（ａ）のように平面視円形に形成してある。
【００２４】
前記凹部２の内底面中央部には、上向き凸形状のセンターボディ突起２Ａが形成されており（図２（ａ）（ｄ）（ｅ）（ｆ）参照）、このセンターボディ突起２Ａは、前記ベース４を凹部２内に位置決め固定する手段として使用される。さらに、このボディ３の外周面には、ボディ３に対してトップケース６を取り付けるための係合突起３Ａを複数設けている（図２（ａ）（ｃ）参照）。
【００２５】
前記ボディ側コネクタハウジング１０は、ボディ３の中心軸線Ｏ−Ｏと並行にオフセットした位置で、ボディ３の外表面から突出するよう設けられている（図２（ｆ）参照）、また、このボディ側コネクタハウジング１０は、雌型コネクタが差し込まれるコネクタ差込み孔１０Ａを有し（図２（ｂ）（ｅ）（ｆ）参照）、そのコネクタ差込み孔１０Ａの内底面には凹部２の内底面に連通する通し孔１０Ｂを開設してある（図２（ａ）（ｂ）（ｅ）（ｆ）参照）。
【００２６】
また、前記凹部２の内底面には、コネクタ差込み孔１０Ａと対応する位置に、固定接触部品１１の支持台１１Ｃ（図５参照）を嵌め込み装着するための嵌合凹部２Ｂを形成してあり、この嵌合凹部２Ｂの内底面に前記通し孔１０Ｂが連通している。
【００２７】
図１（ａ）のコネクタ装置１では、凹部２の内底面側から前記通し孔１０Ｂに複数の固定接触部品１１のコネクタ端子部１１Ａが通されることにより、それぞれの固定接触部品１１のコネクタ端子部１１Ａが、コネクタ差込み孔１０Ａ内に突出し露出した形態となって配置される。
【００２８】
図３（ａ）は図１のコネクタ装置を構成するベースの上面図、同図（ｂ）はベースの側面図、同図（ｃ）はベースの下面図、同図（ｄ）はＢ矢視ベース断面図、同図（ｅ）はＡ矢視ベース断面図である。また、図４は、図１のコネクタ装置を構成する複数の金属リング（ベースにインサートする前の状態）の平面図である。
【００２９】
なお、図４は、複数の金属リング７をプレス成形で一体に成形した直後の状態を示しているため、複数の金属リング７がリング繋ぎ部７Ａで連結された状態になっている。このリング繋ぎ部７Ａは、複数の金属リングをベース４にインサート成形で組み込んだ後、カットされる。これにより、複数の金属リング７は、ベース４において、それぞれ電気的に独立した存在となる。
【００３０】
図３において、ベース４は、同図（ａ）（ｃ）のように、平面視円形状となるように樹脂で形成されるとともに、その厚さ方向中間付近に、複数（本実施形態では４つ）の金属リング７をインサート成形で一体に設けた構造になっている。
【００３１】
また、ベース４の中心部にはボス孔４Ｃが開設されており、このボス孔４Ｃに前記ボディ２のセンターボディ突起２Ａを差し込むことにより、ベース４はボディ２の凹部２内に位置決め固定される。
【００３２】
複数の金属リング７は、図３（ａ）（ｃ）及び図４のように、ベース４の中心を共有する同心円状に配置されるとともに、同図（ｄ）（ｅ）のように、その表裏面がベース４表裏面に露出するように設けられている。
【００３３】
図１（ａ）のコネクタ装置１では、複数の金属リング７をベース４で支持するための具体的な構成例として、図３（ａ）（ｃ）のように同心円状に配置された複数の金属リング７間に、同じく同心円状に配置された複数のリング状支持リブ４Ａを設けるとともに、これら複数のリング状支持リブ４Ａで金属リング７の内外周縁部を支持する構成と、そのように支持された複数の金属リング７の裏面に放射状支持リブ４Ｂを設け、この放射状支持リブ４Ｂによって前記複数のリング状支持リブ７を連結するとともに複数の金属リング７の裏面を支持する構成を採用している。
【００３４】
前記のような金属リング支持構成の採用により、図１（ａ）のコネクタ装置１では、複数の金属リング７の表面は、いずれも、図３（ａ）のように切れ目のない連続したリングの形態となって、ベース４の表面に露出している。この一方、複数の金属リング７の裏面は、図３（ｃ）のように放射状支持リブ４Ｂにより分断されたリングの形態となって、ベース４の裏面に露出している。
【００３５】
さらに、図１（ａ）のコネクタ装置１では、それぞれの金属リング７の全周に、先に説明した複数のリング状支持リブ４Ａがベース４の表面から立ち上がった切れ目のない全周リブとして設けられることにより（図３（ｄ）（ｅ）参照）、金属リング７間の短絡を防止している。
【００３６】
ところで、可動接触部品１１のブラシ部１１Ｂが接触する金属リング７の表面には金属粉末入りグリスを塗布することもできる。また、可動接触部品１１のブラシ部１１Ｂが金属リング７の表面を摺動するときに削りクズが発生し、発生した削りクズや削りクズが混じったグリスなどによって複数の金属リング７間が短絡する可能性も想定されるが、図１（ａ）のコネクタ装置１では、そのような金属リング７間の短絡を前記全周リブ（リング状支持リブ４Ａ）で防止している。
【００３７】
図５（ａ）は図１のコネクタ装置を構成する固定接触部品、可動接触部品の下面図、同図（ｂ）はその側面図、同図（ｃ）はその上面図、同図（ｄ）はそのＢ矢視断面図、（ｅ）は固定接触部品、可動接触部品の拡大図である。
【００３８】
図５において、固定接触部品１１は、先に説明した金属リング７の数に対応して複数（本実施形態では４つ）設けられる（図１（ｂ）参照）。そして、この固定接触部品１１の一端側は、コネクタ端子部１１として、図１（ａ）のように、ボディ側コネクタハウジング１０のコネクタ差込み部１０Ａ内に突出する一方、この固定接触部品１１の他端側は、ブラシ部１１Ｂとして、図１（ａ）のように、対応する金属リング７の裏面（下面）に接触するように設けられる。
【００３９】
図５において、可動接触部品９もまた、前記固定接触部品１１と同じく、金属リング７の数に対応して複数（本実施形態では４つ）設けられる（図１（ｃ）参照）。そして、この可動接触部品９の一端側は、コネクタ端子部９Ａとして、図１（ａ）のように、ロータ側コネクタハウジング８のコネクタ差込み部８Ａ内に突出する一方、この可動接触部品９の他端側は、ブラシ部９Ｂとして、図１（ａ）のように、対応する金属リング７の表面に接触する構成になっており、このように接触した状態において、可動接触部品９は、ロータ５の回転により、対応する金属リング７に沿って回転移動可能に設けられている。
【００４０】
図５（ｅ）に示したように、固定接触部品１１は一枚の細長金属板からなり、その固定接触部品１１のコネクタ端子部１１Ａは、一枚の細長金属板を２重に折り重ねた多重構造とすることにより、雌型コネクタと結合する雄型コネクタ端子として必要な既定の強度を備えている。この点は可動接触部品９のコネクタ端子部９Ａも同様である。
【００４１】
また、前記固定接触部品１１のブラシ部１１Ｂは、前記一枚の細長金属板を２重に折り重ね、これにより接近した前記細長金属板の両端部をそれぞれ金属リング７の表面に接触する接点部ＣＰ１、ＣＰ２として形成することにより、多重接点構造になっている。この点は可動接触部品９のブラシ部９Ｂも同様である。
【００４２】
さらに、前記固定接触部品１１のコネクタ端子部１１Ａは、前記のような細長金属板の折り重ね部分に細長金属板の更なる折り曲げによる凸部Ｃを設けることで、雌型コネクタの内径に合致する厚さを有する構成になっている。この点は可動接触部品９のコネクタ端子部９Ａも同様である。
【００４３】
図１（ａ）のコネクタ装置１では、ベース４に同心円状に配置された金属リング７の配置間隔とほぼ同じ間隔となるように、複数の可動接触部品９を支持台９Ｃに並べて固定する構成（図５（ａ）参照）、及び、かかる支持台９Ｃをロータ５内面（下面）の嵌合凹部５Ｃ（図６（ｄ）（ｆ）（ｇ）参照）に取り付けることで、複数の可動接触部品９がロータ５に位置決め固定される構成、並びに、複数の固定接触部品１１を支持台１１Ｃに並べて固定する構成（図５（ａ）参照）、及び、かかる支持台１１Ｃをボディ３の嵌合凹部２Ｂ（図２（ａ）参照）に取り付けることで、複数の固定接触部品９がボディ５側に位置決め固定される構成を採用したが、これ以外の構成で複数の可動接触部品９をロータ５に位置決め固定したり、複数の固定接触部品１１をボディ３側に位置決め固定したりすることも可能である。
【００４４】
図６（ａ）は図１のコネクタ装置を構成するロータの正面図、同図（ｂ）はロータの上面図、同図（ｃ）はロータの側面図、同図（ｄ）はロータの下面図、同図（ｅ）はＡ矢視ロータ断面図、同図（ｆ）はＢ矢視ロータ断面図、同図（ｇ）はＣ矢視ロータ断面図である。
【００４５】
図６において、ロータ５及びこれに設けたロータ側コネクタハウジング８は、樹脂で一体成形されており、ロータ５は、図６（ａ）のように平面視円形となるように形成してある。
【００４６】
ロータ５の内面（下面）中心部には、下向き凸状のロータセンター突起５Ａが設けられており（図６（ｃ）（ｄ）参照）、そのロータセンター突起５Ａが先に説明したベース４中心部のボス孔４Ｃ（図３（ａ）参照）に回転可能に差し込まれることにより、このロータ５は、ベース４上において、ロータセンター突起５Ａを回転中心軸として回転可能に配置される。
【００４７】
ロータ側コネクタハウジング８は、ロータ５の中心軸線と並行にオフセットした位置でロータ５の外表面から上向きに突出するように設けられている（図６（ａ）（ｂ）（ｃ）参照）。また、このロータ側コネクタハウジング８は、雌型コネクタが差し込まれる上向きのコネクタ差込み孔８Ａを有しており（図６（ｂ）（ｆ）（ｇ）参照）、そのコネクタ差込み孔８Ａの内底面には、ロータ５の内面（下面）に向かって開設した通し孔８Ｂを形成してある（図６（ｂ）（ｄ）（ｆ）（ｇ）参照）。
【００４８】
ロータ５の内面（下面）には、コネクタ差込み孔８と対応する位置に、可動接触部品９の支持台９Ｃ（図５参照）を嵌め込み装着するための嵌合凹部５Ｃが形成されており、この嵌合凹部５Ｃの内底面に前記通し孔８Ｂが連通している。
【００４９】
図１（ａ）のコネクタ装置１では、ロータ５の内面（下面）側から前記通し孔８Ｂに複数の可動接触部品９のコネクタ端子部９Ａが通されることにより、それぞれの可動接触部品９のコネクタ端子部９Ａが、コネクタ差込み部８Ａ内に突出し露出した形態となって配置される。
【００５０】
図７（ａ）は図１のコネクタ装置を構成するトップケースの上面図、同図（ｂ）はＡ矢視トップケース断面図、同図（ｃ）はトップケースの下面図、同図（ｄ）はトップケースの側面図である。
【００５１】
図７において、トップケース６は、内面に係合孔６Ａを形成した筒状の側板６Ｂと、ロータ５の表面を露出させるための平面視円形の窓６Ｃを備えた天板６Ｄとを、樹脂で一体成形した構成になっている。
【００５２】
ボディ３の上にトップケース６を乗せた状態で、トップケース６の係合孔６Ａがボディ３外周面の係合突起３Ａに係合することにより、トップケース６は、ボディ３に取り付け固定される。
【００５３】
前記のようにトップケース６をボディ３に取り付け固定したとき、当該ボディ３のベース４上に位置するロータ５は、その表面周縁部以外の表面部分がトップケース６の窓６Ｃから露出する。ロータ側コネクタハウジング８も同様にトップケース６の窓６Ｃから露出する。
【００５４】
また、トップケース６の窓６Ｃの外周縁部がロータ５の表面外周縁部に覆い被さることによって、ロータ５は、ボディ３に対して回転可能に保持される。
【００５５】
図１（ａ）のコネクタ装置１では、前記のようなトップケース６の窓６Ｃの縁部に摺接するリング状の摺接突起５Ｂ（図６（ｅ）等参照）をロータ５の表面に突出形成することにより、ロータ５の回転の安定性向上を図っている。
【００５６】
次に、以上のように構成された図１（ａ）のコネクタ装置１の使用例について簡単に説明する。
【００５７】
図１（ａ）のコネクタ装置１は、例えば回転式タッチスクリーン画面を搭載したノート型パソコンなどのように、固定部材としてのパソコン本体と、回転部材としてのタッチスクリーン画面との間で、配線を接続する手段として使用することができる。
【００５８】
前記使用例の場合は、コネクタ装置１のボディ３をパソコン本体側に取り付け、同コネクタ装置１のロータ５をタッチスクリーン画面側に取り付ける。この際、タッチスクリーン画面の回転中心と本コネクタ装置１におけるロータ５の回転中心とが一致するように調整される。
【００５９】
そして、パソコン本体側の配線のコネクタは、本コネクタ装置１におけるボディ側コネクタハウジング１０のコネクタ差込み孔１０Ａに差し込み、タッチスクリーン画面側の配線のコネクタは、本コネクタ装置１におけるロータ側コネクタハウジング８のコネクタ差込み孔８Ａに差し込む。これで配線の接続は完了し、そのように差し込まれたそれぞれのコネクタの配線は、可動接触部品９、金属リング７及び固定接触部品１１を介して互いに電気的に接続される。
【００６０】
前記使用例において、タッチスクリーン画面を回転させたとき、ボディ３、ボディ側コネクタハウジング１０、固定接触部品１１、金属リング７、及びベース４は、いずれも回転せず、ロータ５、ロータ側コネクタハウジング１０及び可動接触部品９だけがタッチスクリーン画面の回転に連動して一体的に回転する。
【００６１】
このとき、各固定接触部品１１のブラシ部１１Ｂは、静止したまま、対応する金属リング７の下面に接触しており、各可動接触部品９のブラシ部９Ｂは、対応する金属リング７に沿ってその金属リング７の上面を摺動する。このため、パソコン本体側のコネクタに接続されている配線と、タッチスクリーン画面側のコネクタに接続されている配線とは、可動接触部品９と金属リング７と固定接触部品１１を通じて、互いに電気的に接続された状態を維持する。
【００６２】
また、前記のようにタッチスクリーン画面を回転させているときに、パソコン本体（固定部材）から見て、ボディ側コネクタハウジング１０は静止しており、タッチスクリーン画面（回転部材）から見て、ロータ側コネクタハウジング８は相対的に静止していることから、それぞれのコネクタハウジング８、１０のコネクタ差込み孔８Ａ、１０Ａに差し込まれている配線のコネクタが捩れることはなく、固定部材と回転部材との間で当該配線は無理なく接続される。
【００６３】
また、図１（ａ）のコネクタ装置によると、ボディ３とロータ５それぞれのコネクタハウジング８、１０に設けたコネクタ差込み孔８Ａ、１０Ａに、パソコン本体側の配線のコネクタやタッチスクリーン画面側の配線のコネクタを差し込むだけの簡単な作業で、パソコン本体側の配線とタッチスクリーン画面側の配線とを電気的に接続することができ、その接続はコネクタによるもので、半田付けは不要であるから、かかる配線の絶縁を簡単かつ確実に確保することもできる。
【００６４】
先に説明した可動接触部品９や固定接触部品１１は、例えば、図８又は図９のように構成することもできる。
【００６５】
図５（ｅ）の可動接触部品９や固定接触部品１１は一枚の細長金属板で構成したが、図８に示した可動接触部品９や固定接触部品１１は二枚の細長金属板で構成してある。そして、この図８に示した可動接触部品９や固定接触部品１１のコネクタ端子部９Ａ、１１Ａは、いずれも、前記二枚の細長金属板の端部をそれぞれ折り重ねて２重構造とし、この２重構造の部分を上下に重ねて４重構造とすることにより、雌型コネクタと結合する雄型コネクタ端子として必要な既定の強度を備えている。
【００６６】
また、図８に示した可動接触部品９や固定接触部品１１のブラシ部９Ｂ、１１Ｂは、いずれも、前記二枚の細長金属板を重ね合わせ、それぞれの細長金属板の端部を金属リング７の表面に接触する接点部ＣＰ１、ＣＰ２として形成することにより、多重接点構造になっている。
【００６７】
図９に示した可動接触部品９や固定接触部品１１も、図５（ｅ）の可動接触部品９や固定接触部品１１と同じく一枚の細長金属板で構成してあるが、特に、この図９に示した可動接触部品９や固定接触部品１１のコネクタ端子部９Ａ、１１Ａは、図５（ｅ）のような２重構造のコネクタ端子部９Ａ、１１Ａを更に折り重ねた４重構造とすることにより、雌型コネクタと結合する雄型コネクタ端子として必要な既定の強度を備えている。
【００６８】
なお、前記のようなコネクタ端子部９Ａ、１１の多重化は、２重化や４重化に限定されることはなく、必要に応じて適宜変更することができる。
【００６９】
また、図１（ａ）に示したボディ側コネクタハウジング１０は、ボディ３の中心軸線Ｏ−Ｏと並行に設けたが、図１０に示したように、ボディ３の中心軸線Ｏ−Ｏと直交する方向の横向きに設けてもよい。これに合わせて、図１（ａ）のボディ側コネクタハウジング１０のコネクタ差込み孔１０Ａも、図１０に示したように、ボディ３の中心軸線Ｏ−Ｏと直交する方向の横向きに設けてもよい。
【００７０】
さらに、図１（ａ）に示したボディ側コネクタハウジング１０は、ボディ３の外表面から立ち上がった形態としたが、図１１に示したように、ボディ３の外周面から横向き（ボディ３の中心軸線Ｏ−Ｏと直交する方向）に立ち上がった形態としてもよい。この場合も図１（ａ）のボディ側コネクタハウジング１０のコネクタ差込み孔１０Ａは、図１１に示したように、ボディ３の中心軸線Ｏ−Ｏと直交する方向の横向きに設けてもよい。
【００７１】
また、図１（ａ）に示した固定接触部品１１の支持台１１Ｃを図１１のように省略することにより、コネクタ装置１全体の薄型化を図る構成も採用し得る。
【００７２】
さらに、可動接触部品９や固定接触部品１１のブラシ部９Ｂ、１１Ｂについては、先に説明した２つの接点部ＣＰ１、ＣＰ２を備えた多重（二重）接点構造に限定されることはなく、必要に応じて、その接点部の数は増減することができる。例えば、いずれか一方の接点部ＣＰ１又はＣＰ２を省略してもよい。また、そのような接点部を３つ以上とする構成例としては、例えば、図８において、三枚以上の細長金属板を重ね合わせ、それぞれの細長金属板の端部を金属リング７の表面に接触する接点部として形成する構成が考えられる。
【００７３】
なお、本発明は、以上説明した実施形態に限定されるものではなく、本発明の技術的思想内で当分野において通常の知識を有する者により多くの変形が可能である。特に、本発明は前記使用例に限定されることはなく、回転部材と固定部材との間で配線を接続する手段として広く使用することが可能である。
【符号の説明】
【００７４】
１  コネクタ装置
２  凹部
２Ａ  センターボディ突起
２Ｂ  嵌合凹部
３  ボディ
３Ａ  係合突起
４  ベース
４Ａ  リング状支持リブ
４Ｂ  放射状支持リブ
４Ｃ  ボス孔
５  ロータ
５Ａ  ロータセンター突起
５Ｂ  摺接突起
５Ｃ  嵌合凹部
６  トップケース
６Ａ  爪
６Ｂ  側板
６Ｃ  窓
６Ｄ  天板
７  金属リング
７Ａ  リング繋ぎ部
８  ロータ側コネクタハウジング
８Ａ  コネクタ差込み孔
８Ｂ  通し孔
９  可動接触部品
９Ａ  コネクタ端子部
９Ｂ  ブラシ部
９Ｃ  支持台
１０  ボディ側コネクタハウジング
１０Ａ  コネクタ差込み孔
１０Ｂ  通し孔
１１  固定接触部品
１１Ａ  コネクタ端子部
１１Ｂ  ブラシ部
１１Ｃ  支持台
Ｃ  凸部
ＣＰ１、ＣＰ２  接点部
【図１】
2014116122.tif 000003
【図２】
2014116122.tif 000004
【図３】
2014116122.tif 000005
【図４】
2014116122.tif 000006
【図５】
2014116122.tif 000007
【図６】
2014116122.tif 000008
【図７】
2014116122.tif 000009
【図８】
2014116122.tif 000010
【図９】
2014116122.tif 000011
【図１０】
2014116122.tif 000012
【図１１】
2014116122.tif 000013